(57)【要約】【課題】  ユーザの使い勝手を向上した再生装置および制御方法を提供する。【解決手段】  番組部分と特定部分を含むデータを受信し、前記データに含まれる特定部分と前記特定部分前後で内容が繰り返されている重複部分を検出する。そして、前記データを再生するときに、前記特定部分あるいは前記重複部分になると、前記特定部分あるいは前記重複部分であることを示す表示を表示画面に出力する。ユーザからのスキップ再生あるいは早送り再生指示を受信すると、前記特定部分あるいは前記重複部分をスキップ再生あるいは早送り再生するように制御する。【選択図】  図２
2006309868.tif 000002
【特許請求の範囲】
【請求項１】
表示装置と接続可能な再生装置であって、
番組部分と特定部分を含むデータを受信する受信部と、
受信したデータから特定部分を検出する特定部分検出部と、
受信したデータから特定部分前後で内容が繰り返されている重複部分を検出する重複検出部と、
前記データを再生するとき、前記特定部分あるいは前記重複部分になると、前記特定部分あるいは前記重複部分であることを示す画面表示情報を前記表示装置に出力する出力部と、
前記表示装置に前記画面表示が表示されているときに、ユーザからのスキップ再生あるいは早送り再生指示を受信すると、前記特定部分あるいは前記重複部分をスキップ再生あるいは早送り再生するように制御する制御部と、
を備えていることを特徴とする再生装置。
【請求項２】
請求項１に記載の再生装置は、前記特定部分検出部により検出された特定部分の位置に関する情報と、前記重複部分検出部により検出された重複部分の位置に関する情報と、前記受信部により受信したデータとを関連付けて記憶する記憶部を備えていることを特徴とする再生装置。
【請求項３】
請求項１に記載の再生装置は、前記特定部分あるいは前記重複部分の符号量を下げるように前記データをエンコードするエンコーダと、前記エンコーダによりエンコードされたデータを記憶する記憶部と、を備えていることを特徴とする請求項１に記載の再生装置。
【請求項４】
前記特定部分はコマーシャル部分であることを特徴とする請求項１ないし３のいずれに記載の再生装置。
【請求項５】
番組部分と特定部分を含むデータを受信し、
前記データに含まれる特定部分と前記特定部分前後で内容が繰り返されている重複部分を検出し、
前記データを再生するときに、前記特定部分あるいは前記重複部分になると、前記特定部分あるいは前記重複部分であることを示す表示を表示画面に出力し、
ユーザからのスキップ再生あるいは早送り再生指示を受信すると、前記特定部分あるいは前記重複部分をスキップ再生あるいは早送り再生するように制御することを特徴とする制御方法。
【請求項６】
請求項５に記載の制御方法において、検出された特定部分と重複部分の位置に関する情報と、受信したデータとを関連付けて記録媒体に記憶するように制御することを特徴とする制御方法。
【請求項７】
請求項５に記載の制御方法において、前記特定部分あるいは前記重複部分の符号量を下げるように前記データをエンコードし、エンコードされたデータを記録媒体に記憶するように制御することを特徴とする制御方法。
【請求項８】
前記特定部分はコマーシャル部分であることを特徴とする請求項５ないし７のいずれに記載の制御方法。
【発明の詳細な説明】
【技術分野】
【０００１】
本発明は、データを再生する再生装置および制御方法に関する。
【背景技術】
【０００２】
TV放送では、CM後の番組本編の最初に、CM前の最後の内容を繰り返し放送する手法がとられることがある。特開２００１−３０９３００号公報（特許文献１）には、通常の番組が記録されたプログラム１と、CMと番組が重複する部分のタイミング情報が記録されたプログラム２とを受信可能な放送記録再生装置が開示されている。この装置では、契約あるいは視聴料を支払っている視聴者に対しては、プログラム２を解読可能にし、プログラム１のうち、CMと番組が重複する部分を自動的にカットする。
【０００３】
【特許文献１】特開２００１−３０９３００号公報
【発明の開示】
【発明が解決しようとする課題】
【０００４】
CMと番組が重複する部分のタイミング情報が記録されたプログラムを入手できない場合が多く、CMや番組重複部分であるかどうかを除いて番組を視聴したいというユーザの要求を満たすことができない。また、ユーザのニーズが多様化しているため、CM部分や重複部分を含めて番組を視聴したい人もいるし、重複部分のみを除いて視聴したいユーザもいる。そのため、装置側で自動的に特定部分を削除してしまうと、ユーザの意思に反した再生となり、かえって使い勝手が悪い装置となる可能性がある。
【０００５】
本発明の目的は、ユーザの使い勝手を向上した再生装置および制御方法を提供することである。
【課題を解決するための手段】
【０００６】
上記課題を解決するために、本発明にかかる再生装置は、番組部分と特定部分を含むデータを受信し、前記データに含まれる特定部分と前記特定部分前後で内容が繰り返されている重複部分を検出する。そして、前記データを再生するときに、前記特定部分あるいは前記重複部分になると、前記特定部分あるいは前記重複部分であることを示す表示を表示画面に出力する。ユーザからのスキップ再生あるいは早送り再生指示を受信すると、前記特定部分あるいは前記重複部分をスキップ再生あるいは早送り再生するように制御する。
【発明の効果】
【０００７】
本発明によれば、ユーザの使い勝手を向上した再生装置および制御方法を提供することができる。
【発明を実施するための最良の形態】
【０００８】
図１は、本発明による記録再生装置の構成の一例を示すブロック図である。  最初に、この記録再生装置の記録動作を説明する。アンテナ１を介して、信号が受信回路２により受信される。受信された信号とは、例えばテレビ放送番組等のデータである。そして、受信信号は、記録再生制御回路３を通してハードディスクやDVDなどの記録媒体4へ記録される。記録再生制御回路３は、記録再生部と制御部とを備えており、制御部はリモコン受信部１２により受信したユーザ指示に応じて記録再生装置の各構成要素を制御し、記録再生動作を行う。なお、制御部を記録再生部とは別に備えるようにしても良い。
【０００９】
受信信号は、例えば図２（ａ）に示すように、番組本編とCM（コマーシャルメッセージ）を含むデータストリームになっている。なお、受信信号に字幕などのOSD（On Screen Display）情報が含まれている場合には、データストリームとともに記録媒体４に記録される。このデータストリームは、特徴情報抽出回路５に入力され、受信信号の特徴情報が抽出される。特徴情報とは、例えばピクチャ毎の符号量の遷移や、量子化の粗さや動き補償に用いる動きベクトルの統計量などのストリーム情報である。また、特徴情報として、輝度や色度のレベルや動き量などの画像情報を抽出しても良いし、音量やステレオ、モノラル等の音声モードなどの音声情報を抽出しても良い。抽出された特徴情報の概念図を図２（ｂ）に示す。
【００１０】
抽出された特徴情報は、特定部分検出回路１０および重複部分検出回路１１へ送られる。特定部分検出回路１０では、特徴情報を用いて、CMなど特定部分を検出し、例えば図２（ｃ）に示すように特定部分以外を０とし、特定部分を１とする特定部分情報を出力する。特定部分検出回路１０は、例えば、図２に示すポイント１で特徴情報が所定以上変化した場合に、ポイント１をCM開始部分とし、次にポイント２で特徴情報が所定以上変化した場合にポイント２をCM終了部分とする。そして、ポイント１とポイント２の間を特定部分として検出する。あるいは、特徴情報が所定以上変化した変化点が所定の時間間隔で発生したとき、その部分を特定部分として検出する。
【００１１】
重複部分検出回路１１は、特定部分検出回路１０で検出されたCM前後の特徴情報の一致を検索することにより、番組本編の重複部分を検出する。重複部分がある場合には、例えば図２（ｄ）に示すような検出信号を特殊再生判定回路１２へ送る。本例では、抽出した特徴情報を用いて番組が重複しているかどうかを検出するため、例えばフレーム全体を比較する方法に比べて、記録再生装置の処理負荷を軽減することができる。
【００１２】
このように、本例によれば、CM部分とともに、CM部分の前後に番組重複部分があるかどうかを検出することができる。
【００１３】
検出した特定部分情報と重複部分情報は、データストリームと対応づけて記憶媒体４に記憶される。これにより、データストリームを再生する際に、特定分や重複部分を容易に識別することができる。
【００１４】
次に、再生動作を図３を用いて説明する。図３は、再生制御動作の一例を示すフローチャートである。
【００１５】
リモコン受信部１２を介して、再生指示と再生を求めるデータ選択がユーザから入力されると（S301）、記録再生制御回路３において受信した再生指示が特殊再生モードの実行を求めるものか、通常再生モードの実行を求めるものであるかどうかを判断する（S302）。なお、ここで、通常再生モードとは、CM等の特定部分を含めてデータストリーム全体を通常の再生速度で再生するモードのことである。一方、特殊再生モードとは、番組本編は通常速度で再生し、CM等の特定部分をスキップして、あるいは通常再生よりも早い再生速度で早送りして再生するモードのことである。ここでは、通常再生モードの制御方法については説明を省略する。
【００１６】
特殊再生モードの実行が要求されると、まずは通常再生を開始する（S303）。具体的には選択されたデータのデータストリームと、このデータストリームに対応する特定部分情報を記録媒体４から読み出される。読み出されたデータストリームは、デコーダ６へ入力され、音声データおよび映像データが復元され、表示装置９に出力される。図４（１）に表示装置９の表示画面例を示す。なお、図１に示す例では、表示装置が記録再生装置に内蔵されているが、これに限定するものではなく、表示装置を外部装置として無線あるいは有線で接続して用いるようにしても良い。
【００１７】
記録媒体４から読み出した特定部分情報に基づいてCM開始を検出すると（S304）、OSD生成回路７によりCM中であることを示すCMマーク（CMアイコン）と早送りが可能であることを示すスキップボタンを生成し、画像合成回路８によりCMアイコンとスキップボタンを重畳した映像データを表示装置に表示する（S305）。図４（２）に表示装置９の表示画面例を示す。
【００１８】
リモコン受信部１２を介して、ユーザからスキップ（早送り）指示が入力されると（S306）、早送りを開始する（S307）。このように、CMマークを表示することにより、ユーザはCMになったことを容易に確認することができる。また、ユーザからのスキップ指示に応じて早送りを開始するため、ユーザの意思に反してデータが早送りされることを防止することができる。
【００１９】
CM終了を検出すると（S308）、早送りを終了して通常再生を開始する（S309）。S308あるいはS310において、CM終了が検出されると、CMマーク表示を消去する（S311）。
【００２０】
CM終了後に、重複部分情報に基づいて番組の重複部分の開始が検出された場合（S312）、スキップ表示を画面表示に表示させたままにする。なお、スキップ表示の代わりに重複部分であることを示すアイコン等を表示させるようにしても良い。
【００２１】
ユーザからのスキップ指示を受信すると（S313）、早送りを開始する（S314）。これにより、ユーザは重複した番組部分を容易の早送りすることができる。また、ユーザが重複部分であっても再度視聴を希望する場合があるため、本例のようにユーザからのスキップ指示に応じて早送りを開始することにより、ユーザの意思に反した早送りを防止することができる。
【００２２】
重複部分の終了が検出されると（S315）、早送りを終了して通常再生を開始し（S316）、画面上のスキップボタンを消去する（S316）。S312において重複部分が検出されない場合、S318においてスキップ指示がないまま重複部分の終了が検出された場合も同様に、スキップボタン表示を消去する（S317）。なお、このフローチャートへの図示を省略するが、選択されたデータストリームを最後まで終了した場合、ユーザから再生停止の指示が入力された場合には再生処理を終了する。
【００２３】
なお、特定部分を飛ばして再生するスキップ再生の代わりに、通常再生よりも早い速度で再生する高速再生してもよい。このように高速再生にした場合、早送りにしている画面をユーザが確認することができるため、誤ってCM終了位置や重複部分の終了位置を検出してしまった場合でも、ユーザは視聴を希望する部分になったことを知ることができ、通常再生指示を入力する等の対処をすることができる。
【００２４】
以上述べたように、本例によれば、CM部分およびCM前後の重複部分を検出することで、冗長部分のスキップ再生や早見再生が可能となる。また、自動的にCM部分等を削除したり、早送りしたりすることなく、アイコンで表示し、視聴者の指示入力を求めるようにしている。そのため、ユーザは使用形態に応じて任意の再生方法を選択することができるとともに、誤検出があっても、勝手にスキップ等することを防止することができる。
【００２５】
なお、ユーザが予め自動スキップを選択できるようにすることが好ましい。ユーザによってはスキップ指示を行うことを煩わしいと感じる場合があり、ユーザの使用形態に応じて制御を選択できるようにすることにより、使い勝手を向上することができる。
【００２６】
なお、本実施形態では、データ記録時にCMや重複部分の位置を検出し、検出した情報を記録媒体４に記録することにより、再生前に位置検出を行う必要がなく、再生時の処理負荷を軽減することができる。ただし、これに限定するものではなく、遅延回路１５を用いて再生しながら、特定部分検出回路によりCM部分等を検出するようにしても良い。
【００２７】
次に、記録再生装置においてトランスコードを行う方法について説明する。トランスコードとは、受信回路２により受信したデータストリームを記録媒体４に記録し、記録媒体４から読み出したデータストリームをエンコーダ１４でビットレート変換あるいはフォーマット変換などにより、データストリームを受信時よりも高圧縮化し、記録することである。
【００２８】
本実施形態では、受信したデータストリーム全体を圧縮するモード０と、CM部分を除いたデータを圧縮するモード１と、CM部分と重複部分を除いたデータを圧縮するモード２の3種類のトランスコードモードを有する。モードは、図５に示すようなトランスコードメニュー画面を提示し、ユーザに選択させる。本例では、トランスコードメニュー画面において、「トランスコード選択」ボタン５０１を選択することにより、トランスコードするコンテンツの選択することができ、「圧縮モード」ボタン５０２を選択することにより、圧縮率を選択できるようになっている。圧縮率が選択されると、符号化制御回路１３を介して、エンコーダー１４による圧縮率が変更される。図５の例では、「編集モード」ボタン５０３が選択され、太枠で示されているモード２が選択されている場合を示している。
【００２９】
なお、本例では、モードとともに、そのモードでトランスコードした場合の再生時間を並べて表示している。これにより、ユーザは、トランスコードによりどれくらい再生時間を短くすることができるのか知ることができ、モード選択の参考にすることができる。なお、この時間は、選択したコンテンツや圧縮率により変更されるものとする。また、表示する情報は再生時間に限らず、トランスコードに要する時間や、トランスコード後のデータ量を示すようにしても良い。
【００３０】
なお、トランスコードする際に削除する部分の選択を、ユーザがデータストリームを再生中に行うようにしても良い。この場合、再生中にCM部分や重複部分になると、図４（２）や図４（３）に示すような表示を行い、ユーザからスキップ指示があった場合には、そのCM部分や重複部分をスキップ再生するとともに、その部分を除いてデータストリームの圧縮を行う。このように制御することにより、ユーザは削除する部分を１つ１つ確認した上で、トランスコードする際に削除する部分を決定することができる。
【００３１】
以上述べたように、本実施例によれば、CM部分およびCM前後の重複部分を検出することで、簡単な操作で編集を行うことができ、記録容量を節約できる。また、アイコンで表示して視聴者に判断を仰ぐことにより、誤検出があった場合でも、必要な部分が削除されてしまうことを防止することができる。なお、以上の説明では、CM部分や重複部分を削除する例について説明したが、これに限定するものではない。例えば、CM部分等を削除するかわりに、符号量を下げてエンコードするように制御しても良い。また、重複部分については、CM前に出てきた同内容の部分を予測画像として予測符号化を行っても良い。予測誤差が極めて小さいので符号化圧縮の効率が上がり、画質劣化無く符号量を下げることができる。
【００３２】
以上述べたように、本実施例によれば、CM部分およびCM前後の重複部分を検出し、符号化の制御を行うことにより、記録容量を節約できる。
【００３３】
次に、ダイレクトトランスコードを行う方法を説明する。ダイレクトトランスコードとは、受信したストリームを一旦記録媒体４に記録せずに、エンコーダ１４で圧縮して記録することである。特徴情報は特徴情報抽出回路５から特定部分検出回路１０、重複部分検出回路１１へ直接送られる。ストリームは、遅延回路１５により、特徴抽出するのに要する時間分遅延させてからデコーダへ送り込む。CM部分およびその前後の冗長部分の削除については、トランスコードと同様である。また、削除せずに、CM部分等の符号量を下げる場合についても、トランスコードと同様である。
【００３４】
以上述べたように、本実施例によれば、CM部分およびCM前後の重複部分を検出することで、簡単な操作で編集を行うことができ、記録容量を節約できる。また、CM部分およびCM前後の重複部分を検出し、符号化の制御を行うことにより、記録容量を節約できる。さらに、受信したストリームを一旦記録せずに、直接トランスコードして記録することにより、記録容量を節約できる。
【図面の簡単な説明】
【００３５】
【図１】記録再生装置の構成例を示すブロック図である。
【図２】データストリームの構成と特定部分等の検出方法を説明する図である。
【図３】記録再生装置における再生動作例を示すフローチャートである。
【図４】特殊再生モード時における表示画面の一例である。
【図５】トランスコードメニューの表示画面の一例である。
【符号の説明】
【００３６】
１…アンテナ、
２…受信回路、
３…記録再生制御回路、
４…記録媒体、
５…特徴情報抽出回路、
６…デコーダ、
７…OSD生成回路、
８…画面合成回路、
９…表示装置、
１０…特定部分検出回路、
１１…重複部分検出回路、
１２…リモコン受信回路、
１３…符号化制御回路、
１４…エンコーダ、
１５…遅延回路
【図１】
2006309868.tif 000003
【図２】
2006309868.tif 000004
【図３】
2006309868.tif 000005
【図４】
2006309868.tif 000006
【図５】
2006309868.tif 000007